(57)【要約】【課題】小型化が可能かつ安価で安全性の高い電源回路を提供する。【解決手段】電解コンデンサ２のリード端子２ａを絶縁板３の孔部３ａに挿入後、リード端子２ａを略９０度に屈曲させ、配線基板１の所定位置に装着し、はんだ付けにて固定する。略９０度に屈曲したリード端子２ａによって絶縁板３は移動が規制され、電解コンデンサ２のケース（負極）の開口部と正極リード端子間には絶縁板３が介在する形となる。仮に、電解コンデンサ２に誤って過電圧が印加されて防爆弁が作動しても、絶縁板３の外径を電解コンデンサ２の外径と同程度（少し大きめ）に設定しているため、絶縁板３によって接触を防止することができる。【選択図】図１
2006166611.tif 000002
【特許請求の範囲】
【請求項１】
同一方向からリード端子を引き出す電解コンデンサを配線基板上に横置きで固定した電源回路において、電解コンデンサの外径と同程度でリード端子に対応する孔部を設けた絶縁板を備え、前記リード端子を孔部に挿入後、リード端子を略９０度屈曲させて配線基板に装着し、前記電解コンデンサのケース（負極）と正極リード端子間に前記絶縁板を介在させたことを特徴とする電源回路。
【請求項２】
同一方向からリード端子を引き出す電解コンデンサを配線基板上に横置きで固定した電源回路において、少なくとも電解コンデンサの正極リード端子が挿入可能な孔部と、配線基板に自立可能な固定手段とを有する絶縁体を備え、前記絶縁体を配線基板に装着し略９０度屈曲させた正極リード端子を前記孔部に挿入して配線基板に接続したことを特徴とする電源回路。
【発明の詳細な説明】
【技術分野】
【０００１】
本発明は、電源回路に横置きに寝かせた状態で使用する電解コンデンサの安全を確保する構造に関する。
【背景技術】
【０００２】
近年、モータおよびその駆動装置には小型高効率化が求められ、産業用モータあるいは家電用モータのブラシレス化が進んでいる。この種のブラシレスモータを駆動するモータ駆動装置は、電源回路を内蔵しており、交流から直流に電力変換した後の電圧を平滑する電解コンデンサを備えている。モータ駆動装置は一般的に交流入力で、１００Ｖ用と２００Ｖ用の２種類が用意されている。
【０００３】
電解コンデンサは、瞬時に大電流が流れると電解液が急激に高温となり多量のガスが発生して内圧が高まり破壊に至る恐れがある。電解コンデンサの安全性を高めるために内部の高圧ガスを外部に放散させるため防爆弁が設けられている。
【０００４】
交流入力１００Ｖのモータ駆動装置に誤って２００Ｖを入力すると防爆弁が作動して、同時に電解液が周辺に飛散する。稀な理由で回路上において火花が発生すると、飛散した電解液に引火する可能性があった。
【０００５】
一方、横置きの電解コンデンサの防爆対策および保持が簡単にでき、薄型化が可能な電源回路を提供するため、同一方向からリード端子を引き出す電源平滑用の電解コンデンサのリード端子と反対側の防爆弁部を覆うコンデンサ保持具を設け、電解コンデンサをプリント基板に横置きに寝かせた状態ではんだ付け、かつ、コンデンサ保持具でプリント基板に保持固定したものが知られている（例えば、特許文献１参照）。
【特許文献１】特開２００２−３４５２６２号公報
【発明の開示】
【発明が解決しようとする課題】
【０００６】
解決しようとする問題点は、横置きで使用する電解コンデンサの防爆弁が作動したときにショートすることである。上述した構造において、防爆弁が作動すると防爆弁を覆う保護具により電解液が飛散するのを防止できる。
【０００７】
しかしながら、電源回路の小型化に伴い、横置きの電解コンデンサのリード線も本体近傍で曲げられているため、防爆弁が作動すると反動で電解コンデンサ本体が保護具と反対方向に動き、その結果ケース（負極）の開口部と正極リード端子が接触、あるいは絶縁距離が不足して火花が発生する可能性があった。これは、電解コンデンサのアルミケースは樹脂製の収縮チューブにより覆われているものの、防爆弁が作動するような異常時には、アルミケースの開口部が剥き出しになる可能性があるためである。
【０００８】
本発明は上記従来の課題を解決するものであり、小型化が可能かつ安価で安全性の高い電源回路を提供することを目的とする。
【課題を解決するための手段】
【０００９】
上記課題を解決するために本発明は、同一方向からリード端子を引き出す電解コンデンサを配線基板上に横置きで固定した電源回路において、電解コンデンサの外径と同程度でリード端子に対応する孔部を設けた絶縁板を備え、前記リード端子を孔部に挿入後、リード端子を略９０度屈曲させて配線基板に装着し、前記電解コンデンサのケース（負極）と
正極リード端子間に前記絶縁板を介在させることで火花の発生を防止することができる。
【００１０】
また、少なくとも電解コンデンサの正極リード端子が挿入可能な孔部と、配線基板に自立可能な固定手段とを有する絶縁体を備え、前記絶縁体を配線基板に装着し略９０度屈曲させた正極リード端子を前記孔部に挿入して配線基板に接続することで火花の発生を防止することができる。
【発明の効果】
【００１１】
本発明の電源回路によれば、横置き電解コンデンサのケース（負極）と高圧部である正極リード端子間に絶縁板または絶縁体を介在させることで火花の発生を防止できる。このため、仮に漏れた電解液があっても引火することはなく、安価で安全な電源回路が得られる。
【発明を実施するための最良の形態】
【００１２】
同一方向からリード端子を引き出す電解コンデンサを配線基板上に横置きで固定した電源回路において、電解コンデンサの外径と同程度でリード端子に対応する孔部を設けた絶縁板を備え、前記リード端子を孔部に挿入後、リード端子を略９０度屈曲させて配線基板に装着し、前記電解コンデンサのケース（負極）と正極リード端子間に前記絶縁板を介在させたことを特徴とする電源回路である。
【実施例１】
【００１３】
以下本発明の実施例について図面を参照して説明するが、電源回路を構成する整流回路（ブリッジダイオード）については従来と同じであり省略、実施例１の主要部品である絶縁板を中心に説明する。
【００１４】
図１において、１は電源回路部品を搭載する配線基板、２は平滑用の電解コンデンサ、３は絶縁板である。
【００１５】
絶縁板３は、電解コンデンサ２の外径より０．５ｍｍ程度大きめに設定した円板で、電解コンデンサ２の外径と絶縁板３の外径を合せたときにリード端子２ａが挿入できるように孔部３ａを２つ設ける。この絶縁板３は、０．３ｍｍ程度の板状で耐熱性のよい電気絶縁材をプレス加工して得られるため安価である。
【００１６】
電解コンデンサ２のリード端子２ａを絶縁板３の孔部３ａに挿入後、リード端子２ａを略９０度に屈曲させ、配線基板１の所定位置に装着し、はんだ付けにて固定する。略９０度に屈曲したリード端子２ａによって絶縁板３の移動量は規制される。これにより、電解コンデンサ２のケース（負極）の開口部と正極リード端子間には絶縁板３が介在する形となる。
【００１７】
電解コンデンサ２のアルミケースは収縮チューブにより覆われているものの、確実な絶縁物とみなされず、防爆弁が作動するような異常時には、ケース開口部が露出する可能性がある。
【００１８】
ところが、絶縁板３の外径を電解コンデンサ２の外径と同程度（少し大きめ）に設定しているため、異常時であっても絶縁板３によって電解コンデンサ２のアルミケース開口部を覆うことができる。電解コンデンサ２に誤って過電圧が印加されて防爆弁が作動しても、絶縁板３によって接触を防止することができる。
【００１９】
なお、絶縁板は円板で説明したが、材料採りをよくする形状（例えば、配線基板側において確実にケース開口部と正極リード端子が接触しない範囲のみを円弧）にしてもよい。
また、従来技術で説明した防爆弁を覆う保護具（図示せず）を併用すれば、防爆弁作動時の電解液飛散を防止できるとともに、電解コンデンサの固定が確実となり振動によるリード端子折れを防止でき、安価で安全性の高い電源回路が得られる。
【実施例２】
【００２０】
実施例２は、電解コンデンサのリード端子とアルミケース開口端との間に介在させて絶縁する絶縁体を中心に説明する。
【００２１】
絶縁体５は、電解コンデンサ２のリード端子２ａが挿入可能な孔部５ａと、配線基板１に自立可能な固定手段としての爪部５ｂとを備えた樹脂成形品で、爪部５ｂをあらかじめ配線基板１に設けた孔部に装着固定する。これにより絶縁体５は配線基板１上に自立固定されるため移動や落下の心配はない。
【００２２】
略９０度に屈曲させた電解コンデンサ２のリード端子２ａを配線基板１上に装着した絶縁体５の孔部５ａに挿入し、配線基板１のパターンにはんだ接続すると、電解コンデンサ２のアルミケースの開口端側とリード端子２ａ間に絶縁体５が固定された形となる。
【００２３】
実施例１と同様に、防爆弁の作動時にアルミケースを覆う収縮チューブが破れてアルミケースの開口端部が露出したとしても、正極リード端子を覆う絶縁体５によってスパークを防止できる。つまり、火花が発生しないため電解液が飛散しても引火することはない。
【００２４】
また、電解コンデンサ２の配線基板１への装着は、絶縁体５が配線基板１に固定されているため、通常の挿入作業と変わりなく実施できる。
【００２５】
なお、実施例２の絶縁体は、両リード端子を絶縁体の孔部に挿入する構成であるが正極リード端子だけに対応するように変更してもよい。また、絶縁体の基板上の高さ寸法は、リード端子全体を覆う必要はなく、リード端子とケース開口部とが接触する範囲および絶縁距離の不足によるスパークが発生しない程度を確保すればよい。さらに、実施例１と同様に保護具を併用すれば、安全性の高い電源回路を得ることができる。
【産業上の利用可能性】
【００２６】
本発明の電源回路は、誤って過電圧が印加される可能性の高いモータ駆動装置などに有用である。
【図面の簡単な説明】
【００２７】
【図１】本発明の実施例１における要部の斜視図
【図２】本発明の実施例２における要部の取り付け説明図
【符号の説明】
【００２８】
１  配線基板
２  電解コンデンサ
２ａ  リード端子
３  絶縁板
３ａ  孔部
５  絶縁体
５ａ  孔部
５ｂ  爪部
【図１】
2006166611.tif 000003
【図２】
2006166611.tif 000004